(57)【特許請求の範囲】
【請求項１】
フォーカスレンズから入力された光信号を電気信号に変換して映像信号として出力する撮像手段と、
前記撮像手段から出力される映像信号を処理する映像信号処理手段と、
焦点検出エリアに対応する処理された映像信号部に基いてＡＦ評価値として尖鋭度を算出するＡＦ評価手段と、
前記フォーカスレンズを駆動する駆動手段と、
前記算出された尖鋭度を元に前記フォーカスレンズを制御して、被写体への合焦処理を行う中央処理手段と、
撮影エリア内において、焦点検出エリアを移動するための焦点検出エリア移動スイッチと、
焦点検出エリアを切換えるための複数の焦点検出エリア設定スイッチと、
焦点検出エリアを記憶させるための焦点検出エリア決定スイッチと、
前記焦点検出エリア移動スイッチにより移動された焦点検出エリアを前記複数の焦点検出エリア設定スイッチと前記焦点検出エリア決定スイッチの操作により記憶する記憶部と、を有し、前記中央処理手段は、前記焦点検出エリア設定スイッチの操作に基づいて前記焦点検出エリア設定スイッチで設定され、前記記憶部に記憶された焦点検出エリアを選択し、前記選択された焦点検出エリア内の画像の尖鋭度に基いて前記フォーカスレンズを制御して被写体への合焦処理を行うことを特徴とする光学装置。
【請求項２】
前記焦点検出エリア移動スイッチは、焦点検出エリア上方移動スイッチ、焦点検出エリア下方移動スイッチ、焦点検出エリア右方移動スイッチ、焦点検出エリア左方移動スイッチを含むことを特徴とする請求項１の光学装置。
【請求項３】
複数の焦点検出エリア設定スイッチに対応する焦点検出エリアの位置を記憶する複数の領域を備えた記憶手段を有することを特徴とする請求項１の光学装置。
【請求項４】
前記記憶手段に焦点検出エリアの位置を記憶することを指示する焦点検出エリア記憶指示手段を有することを特徴とする請求項１の光学装置。
【請求項５】
前記焦点検出エリア記憶指示手段の操作が行われている状態で、前記焦点エリア設定スイッチを操作することにより、前記対応する記憶領域に焦点検出エリアの位置の設定を記憶することを特徴とする請求項４の光学装置。
【発明の詳細な説明】
【０００１】
【発明の属する技術分野】
本発明は、ＡＦ機能を搭載した動画像撮影装置であるビデオカメラを始めとした光学装置に関するものである。
【０００２】
【従来の技術】
近年、ＡＦ機能を搭載した動画像撮影装置であるビデオカメラを始めとした光学装置において、撮像信号中から被写体の尖鋭度に応じた信号を抽出して評価し、光学系の焦点検出動作を行う自動焦点検出方式（以降はＡＦ方式と記す）が主流となっている。この種のＡＦ方式の動作例について図１３を用いて説明する。
【０００３】
同図は、従来のＡＦ方式による動画像撮影装置であるビデオカメラを始めとした光学機器装置の構成を示すブロック図であり、同図中、１は動画像撮影装置であるビデオカメラを始めとする光学装置、２はフォーカスレンズ、３は入力する光信号を電気信号に変換して映像信号として出力するＣＣＤ（撮像素子）、４はＣＣＤ３から出力される映像信号を処理する映像信号処理部、５は処理された映像信号をもとにＡＦ評価値として尖鋭度を算出するＡＦ評価部、６はＡＦ評価部５から入力した尖鋭度を元に後述するモータ７を制御することで、フォーカスレンズ２の目標位置を算出するＣＰＵ（中央処理装置）、７はフォーカスレンズ２を駆動するモータ、８はフォーカスレンズ２の位置を検出し、ＣＰＵ６へ現在位置フィードバック信号として入力する物体距離検出部である。
【０００４】
フォーカスレンズ２を通った光は、ＣＣＤ３の撮像面上に結像し、ＣＣＤ３にて映像信号に変換し、出力される。映像信号処理部４では、ＣＣＤ３から入力された映像信号をフィルタ等により処理し映像信号を最適化する。ＡＦ評価部５では、撮影画面の中央に設定された焦点検出エリア内において、ＡＦ評価値として尖鋭度を算出する。
【０００５】
ここで前記焦点検出エリアが撮影画面の中央に設定されていることから、被写体は常に撮影エリアの中央において合焦されることになる。物体距離検出部８はこのフォーカスレンズ２に機械的に接続することで、フォーカスレンズ２の位置を検出し、ＣＰＵ６に位置フィードバック信号として入力する。
【０００６】
ＣＰＵ６では、ＡＦ評価部で算出された尖鋭度および焦点検出距離検出部８で得られた位置フィードバック信号を元に、フォーカスレンズ２の目標位置を算出し、モータ７に位置指令信号を入力する。
【０００７】
モータ７は、ＣＰＵ６から入力された位置指令信号を元にして、フォーカスレンズ２を駆動することで、フォーカスレンズ２の位置制御を行い、被写体への合焦処理を行う。
【０００８】
【発明が解決しようとする課題】
しかしながら、上記従来例では、焦点検出エリアを設定する操作部および設定した焦点検出エリアの位置を記憶する機能が搭載されていないため、以下のような欠点があった。
【０００９】
すなわち、焦点検出エリアが常に撮影エリアの中央に位置することになるために、被写体を撮影エリアにおける中央エリア外で撮影する必要のある場合に、合焦処理を行うためには、自動合焦機構を非動作状態にして合焦機構を手動操作するか、自動合焦機構を動作状態にして、被写体を撮影画面の中央に移動させるためにパンおよびチルトせざるを得ず、結果として操作が煩雑となり、他の操作に支障を来たす可能性があるという問題点があった。
【００１０】
本出願に係わる第一の発明の目的は、撮影者が撮影前に予め焦点検出エリアを設定しておくことを可能とし、撮影中には余計な手間を掛けることなく、複数のスイッチでそれぞれに対応した複数の焦点検出エリアを切換えることができ、結果として複数の位置へ高速な焦点検出エリアの切換えが可能となり、また、他の操作に集中することを可能とすることである。
【００１３】
【課題を解決するための手段】
請求項１の発明の光学装置は、フォーカスレンズから入力された光信号を電気信号に変換して映像信号とし
て出力する撮像手段と、
前記撮像手段から出力される映像信号を処理する映像信号処理手段と、
焦点検出エリアに対応する処理された映像信号部に基いてＡＦ評価値として尖鋭度を算出するＡＦ評価手段と、
前記フォーカスレンズを駆動する駆動手段と、
前記算出された尖鋭度を元に前記フォーカスレンズを制御して、被写体への合焦処理を行う中央処理手段と、
撮影エリア内において、焦点検出エリアを移動するための焦点検出エリア移動スイッチと、
焦点検出エリアを切換えるための複数の焦点検出エリア設定スイッチと、
焦点検出エリアを記憶させるための焦点検出エリア決定スイッチと、
前記焦点検出エリア移動スイッチにより移動された焦点検出エリアを前記複数の焦点検出エリア設定スイッチと前記焦点検出エリア決定スイッチの操作により記憶する記憶部と、を有し、前記中央処理手段は、前記焦点検出エリア設定スイッチの操作に基づいて前記焦点検出エリア設定スイッチで設定され、前記記憶部に記憶された焦点検出エリアを選択し、前記選択された焦点検出エリア内の画像の尖鋭度に基いて前記フォーカスレンズを制御して被写体への合焦処理を行うことを特徴としている。
【００１４】
請求項２の発明は請求項１の発明において、前記焦点検出エリア移動スイッチは、焦点検出エリア上方移動スイッチ、焦点検出エリア下方移動スイッチ、焦点検出エリア右方移動スイッチ、焦点検出エリア左方移動スイッチを含むことを特徴としている。
【００１５】
請求項３の発明は請求項１の発明において、複数の焦点検出エリア設定スイッチに対応する焦点検出エリアの位置を記憶する複数の領域を備えた記憶手段を有することを特徴としている。
請求項４の発明は請求項１の発明において、前記記憶手段に焦点検出エリアの位置を記憶することを指示する焦点検出エリア記憶指示手段を有することを特徴としている。
請求項５の発明は請求項１の発明において、前記焦点検出エリア記憶指示手段の操作が行われている状態で、前記焦点エリア設定スイッチを操作することにより、前記対応する記憶領域に焦点検出エリアの位置の設定を記憶することを特徴としている。
【００１６】
【発明の実施の形態】
(第１実施例)
以下、本発明の実施例を図１〜図５に基づき説明する。
【００１７】
図１は、本発明による動画像撮影装置であるビデオカメラを始めとした光学機器装置の構成を示すブロック図であり、同図中、１は動画像撮影装置であるビデオカメラを始めとする光学装置、２はフォーカスレンズ、３は入力する光信号を電気信号に変換して映像信号として出力するＣＣＤ（撮像素子）、４はＣＣＤ３から出力される映像信号を処理する映像信号処理部（映像信号処理手段）、５は処理された映像信号をもとにＡＦ評価値として尖鋭度を算出するＡＦ評価部（ＡＦ評価手段）、６はＡＦ評価部５から入力した尖鋭度を元にフォーカスレンズ２の目標位置を算出することで、モータ７を制御するＣＰＵ（中央処理装置）（中央処理手段）、７はフォーカスレンズ２を駆動するモータ（駆動手段）、８はフォーカスレンズ２の位置を検出し、ＣＰＵ６へ現在位置フィードバック信号として入力する物体距離検出部、９は焦点検出エリア等を記憶する記憶部（記憶手段）、１０は複数の操作スイッチからなる焦点検出エリア操作部である。
【００１８】
図２は、図１の焦点検出エリア操作部１０における操作スイッチの配置図である。同図中、１１〜１４は焦点検出エリアを移動するためのスイッチ（焦点検出エリア移動スイッチ）で、順に、焦点検出エリア左方移動スイッチ、焦点検出エリア上方移動スイッチ、焦点検出エリア右方移動スイッチ、焦点検出エリア下方移動スイッチである。１５は焦点検出エリア切換えスイッチ（焦点検出エリア設定スイッチ）で、１５−１、１５−２、１５−３の計３個で構成される。１６は焦点検出エリア決定スイッチである。
【００１９】
処理は焦点検出エリアの記憶処理と焦点検出エリア切換え処理とに分けることができる。まず、図１と図２を用いて、各ブロックにおける記憶処理の流れを説明する。
【００２０】
図２の各操作スイッチは、ＣＰＵ６によって監視され、各操作スイッチを押すことで、それぞれに対応した処理がＣＰＵ６によって実行される。焦点検出エリア移動スイッチ１１〜１４を押している間、ＣＰＵ６は撮影エリア内において、それぞれのスイッチに対応する方向へ焦点検出エリアを移動する。
【００２１】
また、焦点検出エリア決定スイッチ１６は、ＯＮしたときの焦点検出エリアの位置を、そのとき同時にＯＮされた各焦点検出エリア切換えスイッチ１５に割り当てて記憶部９へ記憶する。
【００２２】
つまり、本実施例では、３個の焦点検出エリアの位置を記憶することができる。
【００２３】
図３は、上記記憶処理におけるＣＰＵ６が実行する焦点検出エリアの記憶処理制御手順を示すフローチャートである。
【００２４】
同図中、ｓｔｅｐ１０１では焦点検出エリア移動スイッチ１１〜１４のいずれかがＯＮされている場合には、ｓｔｅｐ１０２で焦点検出エリアの移動するスイッチ１１〜１４の状態に応じた位置に、焦点検出エリアを移動する。
【００２５】
ｓｔｅｐ１０１で焦点検出エリア切換えスイッチ１１〜１４のいずれもＯＮされていない場合には、焦点検出エリアの位置は固定した状態で、ｓｔｅｐ１０３へ進む。
【００２６】
次にｓｔｅｐ１０３では、焦点検出エリア決定スイッチ１６がＯＮされている状態で、かつ焦点検出エリア切換えスイッチ１５−１がＯＮされている場合には、ｓｔｅｐ１０４へ進み、その時の焦点検出エリアの位置を焦点検出エリア１として、焦点検出エリア切換えスイッチ１５−１のＯＮに割り当て、これを記憶部９に記憶する。
【００２７】
もし、ｓｔｅｐ１０３で焦点検出エリア決定スイッチ１６がＯＮされていないか、あるいは焦点検出エリア切換えスイッチ１５−１がＯＮされていない場合には、ｓｔｅｐ１０５へ進む。
【００２８】
ｓｔｅｐ１０５では、焦点検出エリア決定スイッチ１６がＯＮされている状態で、かつ焦点検出エリア切換えスイッチ１５−２がＯＮされている場合には、ｓｔｅｐ１０６へ進み、その時の焦点検出エリアの位置を焦点検出エリア２として、焦点検出エリア切換えスイッチ１５−２のＯＮに割り当て、これを記憶部９に記憶する。
【００２９】
もし、ｓｔｅｐ１０５で焦点検出エリア決定スイッチ１６がＯＮされていないか、あるいは焦点検出エリア切換えスイッチ１５−２がＯＮされていない場合には、ｓｔｅｐ１０７へ進む。
【００３０】
ｓｔｅｐ１０７では、焦点検出エリア決定スイッチ１６がＯＮされている状態で、かつ焦点検出エリア切換えスイッチ１５−３がＯＮされている場合には、ｓｔｅｐ１０８へ進み、その時の焦点検出エリアの位置を焦点検出エリア３として、焦点検出エリア切換えスイッチ１５−３のＯＮに割り当て、これを記憶部９に記憶する。
【００３１】
もし、ｓｔｅｐ１０７で焦点検出エリア決定スイッチ１６がＯＮされていないか、あるいは焦点検出エリア切換えスイッチ１５−３がＯＮされていない場合には、ｓｔｅｐ１０１へ戻る。
【００３２】
また、ｓｔｅｐ１０４，１０６，１０８の次には、後述する焦点検出エリア切換え処理へ進む。
【００３３】
次に、図１と図２を用いて、各ブロックにおける焦点検出エリアの切換え処理の流れを説明する。撮影中、焦点検出エリア切換えスイッチ１５がＯＦＦされている間は、予めこのＯＦＦに割り当て、記憶部９へ記憶された焦点検出エリアをもとに、ＡＦ評価部５で尖鋭度を算出し、ＣＰＵ６では、この尖鋭度および物体距離検出部８で得られるフォーカスレンズ２の位置をもとにして、フォーカスレンズ２の目標位置を算出する。
【００３４】
モータ７はこの算出した値に従ってフォーカスレンズ２を駆動し、合焦処理を行う。同様にして、焦点検出エリア切換えスイッチがＯＮされている間は、予めＯＮに割り当て、記憶部９へ記憶された焦点検出エリアをもとに、合焦処理を行う。
【００３５】
図４は、焦点検出エリア操作部１０を操作した場合のＣＰＵ６が実行する焦点検出エリアの切り替え処理制御手順を示すフローチャートである。
【００３６】
同図中、ｓｔｅｐ２０１では、焦点検出エリアの移動スイッチ１１〜１４の全てがＯＦＦされていて、かつ焦点検出エリア決定スイッチ１６がＯＦＦされている場合には、ｓｔｅｐ２０２へ進む。
【００３７】
なお、ｓｔｅｐ２０１で、焦点検出エリアの移動スイッチ１１〜１４がＯＮされているか、焦点検出エリア決定スイッチ１６がＯＮされている場合では、図３で示した焦点検出エリア記憶処理を開始する。
【００３８】
ｓｔｅｐ２０２では、焦点検出エリア切換えスイッチ１５−１がＯＮされている場合にはｓｔｅｐ２０３へ進み、予め記憶部９へ記憶された焦点検出エリア１で合焦処理を行う。
【００３９】
ｓｔｅｐ２０２において、焦点検出エリア切換えスイッチ１５−１がＯＮされていない場合には、ｓｔｅｐ２０４へ進む。
【００４０】
ｓｔｅｐ２０４では、焦点検出エリア切換えスイッチ１５−２がＯＮされている場合にはｓｔｅｐ２０５へ進み、予め記憶部９へ記憶された焦点検出エリア２で合焦処理を行う。
【００４１】
ｓｔｅｐ２０４において、焦点検出エリア切換えスイッチ１５−２がＯＮされていない場合には、ｓｔｅｐ２０６へ進む。
【００４２】
ｓｔｅｐ２０６では、焦点検出エリア切換えスイッチ１５−３がＯＮされている場合にはｓｔｅｐ２０７へ進み、予め記憶部９へ記憶された焦点検出エリア３で合焦処理を行う。
【００４３】
ｓｔｅｐ２０６において、焦点検出エリア切換えスイッチ１５−３がＯＮされていない場合には、ｓｔｅｐ２０１へ戻り、同様の処理手順に従って合焦処理を行う。
【００４４】
図５は、撮影中に焦点検出エリア切換えスイッチ１５を操作したときの、焦点検出エリアを切り替え、ＡＦ動作させることにより被写体の切り替わる様子をあらわした図である。
【００４５】
同図中、１７は撮影エリアである。１８は被写体Ａ、１９は焦点検出エリア１で撮影者が被写体Ａを合焦可能とする位置に設定することが可能である。また、２０は被写体Ｂで、２１は焦点検出エリア２であり、撮影者が被写体Ｂを合焦可能とする位置に設定することが可能である。
【００４６】
なお、２２は焦点検出エリア１のときに、焦点検出エリア切換えスイッチ１５−２をＯＮしたときの焦点検出エリアの切り替わる方向、２３は焦点検出エリア２のときに、焦点検出エリア切換えスイッチ１５−１をＯＮしたときの焦点検出エリアの切り替わる方向を表している。
【００４７】
２４は被写体Ｃで、２５は焦点検出エリア３であり、撮影者が被写体Ｃを合焦可能とする位置に設定することが可能である。２６は焦点検出エリア２のときに、焦点検出エリア切換えスイッチ１５−３をＯＮしたときの焦点検出エリアの切り替わる方向、２７は焦点検出エリア３のときに、焦点検出エリア切換えスイッチ１５−２をＯＮしたときの焦点検出エリアの切り替わる方向を表している。
【００４８】
同様にして、２８は焦点検出エリア１のときに、焦点検出エリア切換えスイッチ１５−３をＯＮしたときの焦点検出エリアの切り替わる方向、２９は焦点検出エリア３のときに、焦点検出エリア切換えスイッチ１５−１をＯＮしたときの焦点検出エリアの切り替わる方向を表している。
【００４９】
また、電源投入後の焦点検出エリアの位置は、焦点検出エリア記憶処理で割り当てた焦点検出エリア１、焦点検出エリア２や焦点検出エリア３、さらには撮影エリアの中心に位置することとしても良い。
【００５０】
このようにして、焦点検出エリアの任意の位置を、焦点検出エリア切換えスイッチ１５−１，２，３のＯＮに割り当てて、この焦点検出エリアの位置を記憶部９へ記憶することで、３つの焦点検出エリアの位置を記憶することができる。
【００５１】
なお、本実施例では焦点検出エリア切り替えスイッチ１５は、３つとしているが、ｎ個（ｎ：自然数）としてもよい。
【００５２】
また、本実施例では焦点検出エリア切換えスイッチ１５をＯＮしている間は常時合焦処理を継続しているが、合焦処理を一回行った後、フォーカスレンズを固定しても良い。
【００５３】
以上のような構成をとることで、撮影者は撮影前に予め焦点検出エリアを設定しておくことができ、撮影中には余計な手間を掛けることなく、複数のスイッチでこれに対応した複数の焦点検出エリアの位置を切換えることができ、結果として高速な焦点検出エリアの切換えが可能となり、また、他の操作に集中することが可能となる。
【００５４】
(第２実施例)
以下、本発明の実施例を図１及び、図４，５，６，７，８にもとづき説明する。
【００５５】
図１および４，５は、第一実施例と同様の構成であり、同様の動作を行っているので説明を省略する。図６は、本実施例における焦点検出エリア操作部構成ブロック図である。基本的には、図２と同構成で、１１〜１６は説明を省略する。３０は、焦点検出エリア初期ポジション決定スイッチである。
【００５６】
ここで、図１と図６を用いて、各ブロックにおける処理の流れを説明する。第一実施例と同様で、処理は焦点検出エリア記憶処理と焦点検出エリア切換え処理とに分けることができる。
【００５７】
ただし、焦点検出エリア切換え処理については第一実施例と同様であるので、図１と図８を用いて、各ブロックにおける記憶処理の流れを説明する。焦点検出エリア初期ポジション決定スイッチ３０は、焦点検出エリア切換えスイッチ１５とともに操作することにより、焦点検出エリアの電源投入後の焦点検出エリア切換えスイッチ１５への焦点検出エリアの位置を割り当て、記憶部９に記憶することが出来る。
【００５８】
このようにして、焦点検出エリアの任意の位置を初期値として焦点検出エリア切換えスイッチ１５に割り当てることができる。
【００５９】
図７，８は、上記記憶処理におけるＣＰＵ６が実行する処理制御手順を示すフローチャートである。
【００６０】
図７では、ｓｔｅｐ３０７を除いて、ｓｔｅｐ３０１〜３０６、３０８は各々、ｓｔｅｐ１０１〜１０６、１０８と同様であるので説明を省略する。
【００６１】
ｓｔｅｐ３０７では、焦点検出エリア決定スイッチ１６がＯＮの状態で焦点検出エリア切換えスイッチ１５−３がＯＮされていないときに、図８の初期ポジションの記憶処理のｓｔｅｐ３０９へ進む。
【００６２】
ｓｔｅｐ３０９では、焦点検出エリア初期ポジション決定スイッチ３０がＯＮの状態で焦点検出エリア切換えスイッチ１５−１をＯＮされると、ｓｔｅｐ３１０へ進み、そのときの焦点検出エリアの位置を初期ポジションとして、記憶部９へ記憶し、焦点検出エリア１５−１へ割り当てる。
【００６３】
ｓｔｅｐ３０９において焦点検出エリア初期ポジション決定スイッチがＯＮの状態でないか、あるいは焦点検出エリア切換えスイッチ１５−１がＯＮされないときには、ｓｔｅｐ３１１へ進む。ｓｔｅｐ３１１では、焦点検出エリア初期ポジション決定スイッチ３０がＯＮの状態で焦点検出エリア切換えスイッチ１５−２をＯＮされると、ｓｔｅｐ３１２へ進み、そのときの焦点検出エリアの位置を初期ポジションとして、記憶部９へ記憶し、焦点検出エリア１５−２へ割り当てる。
【００６４】
ｓｔｅｐ３１１において焦点検出エリア初期ポジション決定スイッチがＯＮの状態でないか、あるいは焦点検出エリア切換えスイッチ１５−２がＯＮされないときには、ｓｔｅｐ３１３へ進む。ｓｔｅｐ３１３では、焦点検出エリア初期ポジション決定スイッチ２８がＯＮの状態で焦点検出エリア切換えスイッチ１５−３をＯＮされると、ｓｔｅｐ３１４へ進み、そのときの焦点検出エリアの位置を初期ポジションとして、記憶部９へ記憶し、焦点検出エリア１５−３へ割り当てる。ｓｔｅｐ３１３において焦点検出エリア初期ポジション決定スイッチがＯＮの状態でないか、焦点検出エリア切換えスイッチ１５−３がＯＮされないときには、図７のｓｔｅｐ３０１へ戻る。また、ｓｔｅｐ３１０，ｓｔｅｐ３１２およびｓｔｅｐ３１４の次には、図４で示した焦点検出エリア切換え処理へ進む。
【００６５】
なお、焦点検出エリア切換え処理におけるＣＰＵ６が実行する処理制御手順のフローチャートは、図４と同様であるので説明を省略する。
【００６６】
なお、本実施例では焦点検出エリア切換えスイッチ１５をＯＮしている間、常時合焦処理を継続しているが、合焦処理を一回行った後、フォーカスレンズを固定しても良い。
【００６７】
また、焦点検出エリア切換えスイッチ１５のＯＦＦのみに対しては、合焦処理を一回行った後、フォーカスレンズを固定しても良い。
【００６８】
さらに、焦点検出エリア切換えスイッチのＯＮおよびＯＦＦのみに対しては、合焦処理を一回行った後、フォーカスレンズを固定しても良い。また、本実施例では焦点検出エリア初期ポジション決定スイッチは１つで説明したが、焦点検出エリア切り替えスイッチのＯＮとＯＦＦそれぞれに対して、合わせて２つ構成しても良い。
【００６９】
このようにして、焦点検出エリアの任意の位置を、焦点検出エリア切換えスイッチ１５−１，２，３のＯＮに割り当てて、この焦点検出エリアの位置を焦点検出エリアの初期ポジションとして記憶部９へ記憶することで、３つの焦点検出エリアの位置を記憶することができる。
【００７０】
なお、本実施例では焦点検出エリア切り替えスイッチ１５は、３つとしているが、ｎ個（ｎ：自然数）としてもよい。また、電源投入後の焦点検出エリアの位置は、焦点検出エリア記憶処理で割り当てた焦点検出エリア１や撮影エリアの中心に位置するように設定することを可能としても良い。
【００７１】
以上のような構成をとることで、撮影者は焦点検出エリアの位置を任意に変更することが可能となり、さらに複数の焦点検出エリアの初期位置を記憶部９に記憶することで、焦点検出エリア切換えスイッチ１５のＯＮとＯＦＦに割り当てることを可能とすることにより、電源投入時の焦点検出エリアの位置を任意に設定することが可能となり、結果として電源投入後、焦点検出エリアの設定をすることなく、迅速に撮影を開始することが可能となる。
【００７２】
(第３実施例)
以下、本発明の実施例を図１及び、図７，８，９，１０，１１，１２にもとづき説明する。
【００７３】
図１は、第一および二実施例と、図７，８は第二実施例と同様の構成であり、同様の動作を行っているので説明を省略する。図９は、本実施例における焦点検出エリア操作部構成ブロック図である。基本的には、図６と同構成で、１１〜１６，３０は説明を省略する。３１は、焦点検出エリア初期化スイッチである。図１０，１１は、本実施例におけるＣＰＵ６が実行する焦点演出エリアの切換え処理制御手順を示すフローチャートである。
【００７４】
同図中、ｓｔｅｐ４０１〜４０５，４０７はｓｔｅｐ２０１〜２０５，２０７と同様の処理を行っているので説明を省略する。
【００７５】
ｓｔｅｐ４０６では焦点検出エリア切換えスイッチ１５−３がＯＮされていないときには図１１のｓｔｅｐ４０８へ進む。
【００７６】
ｓｔｅｐ４０８では、焦点検出エリア初期化スイッチ３１がＯＮされたときには、予め記憶部９に撮影エリア１７の初期位置として中心位置に記憶された焦点検出エリア０で合焦動作を行う。
【００７７】
ｓｔｅｐ４０９の次およびｓｔｅｐ４０８において焦点検出エリア初期化スイッチ３１がＯＮされないときには、図１０のｓｔｅｐ４０１へ戻る。
【００７８】
図１２は、撮影中に焦点検出エリア切換えスイッチ１５および焦点検出エリア初期化スイッチ３１を操作したときの、焦点検出エリアを切り替え、ＡＦ動作させることにより被写体の切り替わる様子をあらわした図である。同図中、１７〜２１は図５と同様であるので説明を省略する。
【００７９】
２４は被写体Ｃ、２５は焦点検出エリア３で撮影者が被写体Ｃを合焦可能とする位置に設定することが可能である。３２は焦点検出エリア１のときに、焦点検出エリア初期化スイッチ３１をＯＮしたときの焦点検出エリアの切り替わる方向、３３は焦点検出エリア０のときに、焦点検出エリア切換えスイッチ１５−１をＯＮしたときの焦点検出エリアの切り替わる方向を表している。
【００８０】
同様にして、３４は焦点検出エリア２のときに、焦点検出エリア初期化スイッチ３１をＯＮしたときの焦点検出エリアの切り替わる方向、３５は焦点検出エリア０のときに、焦点検出エリア切換えスイッチ１５−２をＯＮしたときの焦点検出エリアの切り替わる方向を表している。
【００８１】
また、３６は焦点検出エリア３のときに、焦点検出エリア初期化スイッチ３１をＯＮしたときの焦点検出エリアの切り替わる方向、３７は焦点検出エリア０のときに、焦点検出エリア切換えスイッチ１５−３をＯＮしたときの焦点検出エリアの切り替わる方向を表している。
【００８２】
また、電源投入後の焦点検出エリアの位置は、焦点検出エリア記憶処理で割り当てた焦点検出エリア１、焦点検出エリア２や焦点検出エリア３、さらには撮影エリアの中心に位置することとしても良い。
【００８３】
なお、本実施例では焦点検出エリア切換えスイッチをＯＮまたはＯＦＦしている間常時合焦処理を継続しているが、焦点検出エリア切換えスイッチのＯＮのみに対しては、合焦処理を一回行った後、フォーカスレンズを固定しても良い。
【００８４】
以上のような構成をとることで、撮影者は焦点検出エリアがどのような位置にあるときでも、撮影中や記憶操作中に余計な手間を掛けることなく、１つのスイッチで焦点検出エリアを撮影エリア１７の中心位置へ移動することができ、結果として高速な焦点検出エリアの切換えおよび記憶操作が可能となり、また、他の操作に集中することが可能となる。
【００８５】
【発明の効果】
以上説明したように、本出願に係わる第一の本発明によれば、ＡＦ技術による動画像撮影装置であるビデオ・カメラを始めとした光学機器装置のうちの、フォーカスレンズ、入力する光信号を電気信号に変換して映像信号として出力するＣＣＤ（撮像素子）、ＣＣＤから出力される映像信号を処理する映像信号処理部、処理された映像信号から尖鋭度を算出するＡＦ評価部、フォーカスレンズを動かして物体距離を変更するモータ、モータの位置を検出する物体距離検出部、尖鋭度をもとにしてフォーカスレンズの目標位置を算出するＣＰＵ（中央処理装置）でモータを制御することで、フォーカスレンズを動かして被写体への合焦処理を行う構成の動画像撮影装置であるビデオカメラを始めとした光学機器装置において、
焦点検出エリアの位置を任意に設定するための、焦点検出エリア移動スイッチ、そして焦点検出エリアを切換えるための複数の焦点検出エリア切換えスイッチ、焦点検出エリアの位置を焦点検出エリア切換えスイッチに割り当て、記憶部に記憶させるための焦点検出エリア決定スイッチから構成される焦点検出エリア操作部を有することにより、
撮影者は撮影前に予め焦点検出エリアを設定しておくことができ、撮影中には余計な手間を掛けることなく、複数のスイッチでそれぞれに対応した複数の焦点検出エリアの位置を１操作で切換えることができ、結果として高速な焦点検出エリアの切換えが可能となり、また、他の操作に集中することが可能となる。
【００８６】
また、本出願に係わる第二の本発明によれば、ＡＦ技術による動画像撮影装置であるビデオ・カメラを始めとした光学機器装置のうちの、フォーカスレンズ、入力する光信号を電気信号に変換して映像信号として出力するＣＣＤ（撮像素子）、ＣＣＤから出力される映像信号を処理する映像信号処理部、処理された映像信号から尖鋭度を算出するＡＦ評価部、フォーカスレンズを動かして物体距離を変更するモータ、モータの位置を検出する物体距離検出部、尖鋭度をもとにしてフォーカスレンズの目標位置を算出するＣＰＵ（中央処理装置）でモータを制御することで、フォーカスレンズを動かして被写体への合焦処理を行う構成の動画像撮影装置であるビデオカメラを始めとした光学機器装置において、
焦点検出エリアの位置を任意に設定するための、焦点検出エリア移動スイッチ、焦点検出エリアを切換えるための複数の焦点検出エリア切換えスイッチ、焦点検出エリアの位置を焦点検出エリア切換えスイッチに割り当て、記憶部に記憶させるための焦点検出エリア決定スイッチ、焦点検出エリアの初期の位置を設定する焦点検出エリア初期ポジション決定スイッチから構成される焦点検出エリア操作部を有することにより、
撮影者は撮影前に予め焦点検出エリアの初期の位置を設定しておくことができ、電源投入後に毎回焦点検出エリアの記憶処理を行う必要がなくなり、結果として複数のスイッチに対してそれぞれに対応した焦点検出エリアの位置を切換え可能な撮影を迅速に開始することができる。
【００８７】
また、本出願に係わる第三の本発明によれば、ＡＦ技術による動画像撮影装置であるビデオ・カメラを始めとした光学機器装置のうちの、フォーカスレンズ、入力する光信号を電気信号に変換して映像信号として出力するＣＣＤ（撮像素子）、ＣＣＤから出力される映像信号を処理する映像信号処理部、処理された映像信号から尖鋭度を算出するＡＦ評価部、フォーカスレンズを動かして物体距離を変更するモータ、モータの位置を検出する物体距離検出部、尖鋭度をもとにしてフォーカスレンズの目標位置を算出するＣＰＵ（中央処理装置）でモータを制御することで、フォーカスレンズを動かして被写体への合焦処理を行う構成の動画像撮影装置であるビデオカメラを始めとした光学機器装置において、
焦点検出エリアの位置を任意に設定するための、焦点検出エリア移動スイッチ、焦点検出エリアを切換えるための複数の焦点検出エリア切換えスイッチ、焦点検出エリアの位置を焦点検出エリア切換えスイッチに割り当て、記憶部に記憶させるための焦点検出エリア決定スイッチ、焦点検出エリアの初期の位置を設定する焦点検出エリア初期ポジション決定スイッチ、焦点検出エリアの位置を撮影エリアの中心位置に移動するための焦点検出エリア初期化スイッチから構成される焦点検出エリア操作部を有することにより、
撮影者は撮影中および撮影前の焦点検出エリアの記憶操作時に、焦点検出エリアがいかなる位置にあるときでも、焦点検出エリア初期化スイッチの１操作のみによって、焦点検出エリアの位置を撮影エリアの中心に移動することが可能となり、結果として迅速な焦点検出エリアの位置の切換えおよび記憶操作を行うことができる。
【図面の簡単な説明】
【図１】  本発明の第一〜第三実施例のブロック図
【図２】  本発明の第一実施例の焦点検出エリア操作部構成ブロック図
【図３】  本発明の第一実施例の焦点検出エリア記憶処理フローチャート
【図４】  本発明の第一〜第二実施例の焦点検出エリア切換え処理フローチャート
【図５】  本発明の第一〜第二実施例の焦点検出エリア切替え動作説明図
【図６】  本発明の第二実施例の焦点検出エリア操作部構成ブロック図
【図７】  本発明の第二実施例の焦点検出エリア記憶処理フローチャート１
【図８】  本発明の第二実施例の焦点検出エリア記憶処理フローチャート２
【図９】  本発明の第三実施例の焦点検出エリア操作部構成ブロック図
【図１０】  本発明の第三実施例の焦点検出エリア切換え処理フローチャート１
【図１１】  本発明の第三第二実施例の焦点検出エリア切換え処理フローチャート２
【図１２】  本発明の第三第二実施例の焦点検出エリア切替え動作説明図２
【図１３】  従来例のブロック図
【符号の説明】
１  動画像撮影装置であるビデオカメラを始めとした光学機器
２  フォーカスレンズ
３  ＣＣＤ
４  映像信号処理部
５  ＡＦ評価部
６  ＣＰＵ
７  モータ
８  物体距離検出部
９  記憶部
１０  焦点検出エリア操作部
１１  焦点検出エリア左移動スイッチ
１２  焦点検出エリア上移動スイッチ
１３  焦点検出エリア右移動スイッチ
１４  焦点検出エリア下移動スイッチ
１５  焦点検出エリア切換えスイッチ
１６  焦点検出エリア決定スイッチ
１７  撮影エリア
１８  被写体Ａ
１９  焦点検出エリア１
２０  被写体Ｂ
２１  焦点検出エリア２
２２  焦点検出エリア１のときに、焦点検出エリア切換えスイッチ１５−２をＯＮしたときの焦点検出エリアの切り替わる方向
２３  焦点検出エリア２のときに、焦点検出エリア切換えスイッチ１５−１をＯＮしたときの焦点検出エリアの切り替わる方向
２４  被写体Ｃ
２５  焦点検出エリア３
２６  焦点検出エリア２のときに、焦点検出エリア切換えスイッチ１５−３をＯＮしたときの焦点検出エリアの切り替わる方向
２７  焦点検出エリア３のときに、焦点検出エリア切換えスイッチ１５−２をＯＮしたときの焦点検出エリアの切り替わる方向
２８  焦点検出エリア１のときに、焦点検出エリア切換えスイッチ１５−３をＯＮしたときの焦点検出エリアの切り替わる方向
２９  焦点検出エリア３のときに、焦点検出エリア切換えスイッチ１５−１をＯＮしたときの焦点検出エリアの切り替わる方向
３０  焦点検出エリア初期ポジション決定スイッチ
３１  焦点検出エリア初期化スイッチ
３２  焦点検出エリア１のときに、焦点検出エリア初期化スイッチをＯＮしたときの焦点検出エリアの切り替わる方向
３３  焦点検出エリアが初期化されているときに、焦点検出エリア切り替えスイッチ１５−１をＯＮしたときの焦点検出エリアの切り替わる方向
３４  焦点検出エリア２のときに、焦点検出エリア初期化スイッチをＯＮしたときの焦点検出エリアの切り替わる方向
３５  焦点検出エリアが初期化されているときに、焦点検出エリア切り替えスイッチ１５−２をＯＮしたときの焦点検出エリアの切り替わる方向
３６  焦点検出エリア３のときに、焦点検出エリア初期化スイッチをＯＮしたときの焦点検出エリアの切り替わる方向
３７  焦点検出エリアが初期化されているときに、焦点検出エリア切り替えスイッチ１５−３をＯＮしたときの焦点検出エリアの切り替わる方向
３８  被写体Ｉ
３９  焦点検出エリア
【図１】
0003962595.tif 000002
【図２】
0003962595.tif 000003
【図３】
0003962595.tif 000004
【図４】
0003962595.tif 000005
【図５】
0003962595.tif 000006
【図６】
0003962595.tif 000007
【図７】
0003962595.tif 000008
【図８】
0003962595.tif 000009
【図９】
0003962595.tif 000010
【図１０】
0003962595.tif 000011
【図１１】
0003962595.tif 000012
【図１２】
0003962595.tif 000013
【図１３】
0003962595.tif 000014